(57)【要約】【課題】  データ放送に関連する映像を検索して表示する技術を提供する。【解決手段】  外部から受信するマークアップ言語で記述されたデータを解析し、表示装置に表示する要素と非表示用の要素とに分離する分離手段と、前記分離手段により分離された前記表示する要素の中からユーザに検索対象の要素を選択させる選択手段と、前記選択された要素に関連する映像をデータベースから検索する検索手段と、前記検索手段が検索した前記映像を前記表示装置に表示する表示手段とを備えることを特徴とする表示制御装置。【選択図】      図１
2010074764.tif 000002
【特許請求の範囲】
【請求項１】
外部から受信するマークアップ言語で記述されたデータを解析し、表示装置に表示する要素と非表示用の要素とに分離する分離手段と、
前記分離手段により分離された前記表示する要素の中からユーザに検索対象の要素を選択させる選択手段と、
前記選択された要素に関連する映像をデータベースから検索する検索手段と、
前記検索手段が検索した前記映像を前記表示装置に表示する表示手段とを
備えることを特徴とする表示制御装置。
【請求項２】
前記選択手段は、BMLのタグで囲われた範囲を単位としてユーザが選択できるよう構成されていることを特徴とする請求項１に記載の表示制御装置。
【請求項３】
マークアップ言語で記述されたデータを受信し、表示装置にこのデータを表示する表示制御方法であって、
受信した前記データの中から、表示用要素を選択する選択工程と、
前記選択工程において選択された前記表示用要素から、この要素に関連する映像を内部または外部のデータベースから検索する検索工程と、
前記検索工程で検索された前記映像を前記表示装置に表示する表示工程とを
備えることを特徴とする表示制御方法。
【請求項４】
前記選択工程は、BMLのタグで囲われた範囲を単位としてユーザが選択できるプロセスを含むことを特徴とする請求項３に記載の表示制御方法。
【発明の詳細な説明】
【技術分野】
【０００１】
本発明は、表示制御装置及び表示制御方法に係わり、特に表示コンテンツ中の文字列を基にした映像検索が可能なデータ放送受信装置に関する。
【背景技術】
【０００２】
データ放送は、現在放送中の番組を妨げないように、文字を中心とした情報を提示できる反面、退屈な画面となりがちである。また、インターネット接続等により、さらに詳細な情報を入手できるが、放送局側が用意していない場合は利用できない。
【０００３】
このうち文字を中心とした情報に関して、特許文献１には概要として、BML（Broadcast Markup Language）で記述されたデータを受信し、表示装置に表示する情報処理装置が記されている。表示された任意の要素をキー操作により選択し、選択された表示オブジェクトの文字などの情報は、二次利用することができるというものである。
【０００４】
しかしながら、選択した要素に関連する映像等を検索して、画面上で再生する方法の開示はない。
【特許文献１】特開２００４−２４２２８４号公報
【発明の開示】
【発明が解決しようとする課題】
【０００５】
本発明は、データ放送に関連する映像を検索して表示する技術を提供することを目的とする。
【課題を解決するための手段】
【０００６】
上記課題を解決するために、本発明の表示制御装置は、外部から受信するマークアップ言語で記述されたデータを解析し、表示装置に表示する要素と非表示用の要素とに分離する分離手段と、前記分離手段により分離された前記表示する要素の中からユーザに検索対象の要素を選択させる選択手段と、前記選択された要素に関連する映像をデータベースから検索する検索手段と、前記検索手段が検索した前記映像を前記表示装置に表示する表示手段とを備えることを特徴とする。
【発明の効果】
【０００７】
本発明によれば、データ放送に関連する映像を検索して表示する技術が得られる。
【発明を実施するための最良の形態】
【０００８】
本発明による実施形態１を図１乃至図６を参照して説明する。
図５は、この発明を適用したデジタルテレビジョン放送受信装置１１１の外観と、このデジタルテレビジョン放送受信装置１１１を中心として構成されるネットワークシステムの一例を概略的に示している。
【０００９】
すなわち、デジタルテレビジョン放送受信装置１１１は、主として、薄型のキャビネット１１２と、このキャビネット１１２を起立させて支持する支持台１１３とから構成されている。そして、キャビネット１１２には、例えばＳＥＤ（Surface-conduction Electron-emitter Display）表示パネル，液晶表示パネル等でなる平面パネル型の映像表示器１１４、スピーカ１１５、操作部１１６、リモートコントローラ１１７から送信される操作情報を受ける受光部１１８等が設置されている。
【００１０】
また、このデジタルテレビジョン放送受信装置１１１には、例えばＳＤ（Secure Digital）メモリカード、ＭＭＣ（Multimedia Card）及びメモリスティック等の第１のメモリカード１１９が着脱可能となっており、この第１のメモリカード１１９に対して番組や写真等の情報の記録再生が行なわれるようになっている。
【００１１】
さらに、このデジタルテレビジョン放送受信装置１１１には、例えば契約情報等の記録された第２のメモリカード（ＩＣカード）１２０が着脱可能となっており、この第２のメモリカード１２０に対して情報の記録再生が行なわれるようになっている。
【００１２】
また、このデジタルテレビジョン放送受信装置１１１は、第１のＬＡＮ（Local Area Network）端子１２１、第２のＬＡＮ端子１２２、ＵＳＢ（Universal Serial Bus）端子１２３及びｉ．ＬＩＮＫ端子１２４を備えている。
【００１３】
このうち、第１のＬＡＮ端子１２１は、ＬＡＮ対応ＨＤＤ専用ポートとして使用されるもので、接続されたＮＡＳ（Network Attached Storage）であるＬＡＮ対応のＨＤＤ１２５に対して、イーサネット（登録商標）により情報の記録再生を行なうために使用される。
【００１４】
このように、ＬＡＮ対応ＨＤＤ専用ポートとしての第１のＬＡＮ端子１２１を設けることにより、他のネットワーク環境やネットワーク使用状況等に影響されることなく、ＨＤＤ１２５に対してハイビジョン画質による番組の情報記録を安定して行なうことができる。
【００１５】
また、第２のＬＡＮ端子１２２は、イーサネット（登録商標）を用いた一般的なＬＡＮ対応ポートとして使用されるもので、例えばハブ１２６を介して、ＬＡＮ対応のＨＤＤ１２７、コンテンツサーバ１２８、ＨＤＤ内蔵のＤＶＤ（Digital Versatile Disk）レコーダ１２９等の機器を接続し、これらの機器と情報伝送を行なうために使用される。
【００１６】
なお、コンテンツサーバ１２８については、家庭内ネットワークにおいてコンテンツのサーバ機器として動作するための機能を持ち、さらにコンテンツのアクセスに必要なＵＲＩ（Uniform Resource Identifier）情報を提供するサービスを備えたＵＰｎＰ（ユニバーサルプラグアンドプレイ）対応機器として構成される。
【００１７】
なお、ＤＶＤレコーダ１２９については、第２のＬＡＮ端子１２２を介して通信されるデジタル情報が制御系のみの情報であるため、デジタルテレビジョン放送受信装置１１１との間でアナログの映像及び音声情報を伝送するために、専用のアナログ伝送路１３０を設ける必要がある。
【００１８】
さらに、この第２のＬＡＮ端子１２２は、ハブ１２６に接続されたブロードバンドルータ１３１を介して、例えばインターネット等のネットワーク１３２に接続し、このネットワーク１３２を介してコンテンツサーバ１３３や携帯電話１３４等と情報伝送を行なうために使用される。
【００１９】
なお、コンテンツサーバ１３３についてはコンテンツのサーバ機器として動作するための機能を持ち、さらにコンテンツのアクセスに必要なＵＲＩ情報を提供するサービスを備えたＵＰｎＰ対応機器として構成される。
【００２０】
また、上記ＵＳＢ端子１２３は、一般的なＵＳＢ対応ポートとして使用されるもので、例えばハブ１３５を介して、携帯電話１３６、デジタルカメラ１３７、メモリカードに対するカードリーダ／ライタ１３８、ＨＤＤ１３９、キーボード１４０等のＵＳＢ機器を接続し、これらのＵＳＢ機器と情報伝送を行なうために使用される。
【００２１】
さらに、上記ｉ．ＬＩＮＫ端子１２４は、例えばＡＶ−ＨＤＤ１４１、Ｄ（Digital）
−ＶＨＳ（Video Home System）１４２等をシリアル接続し、これらの機器と情報伝送を行なうために使用される。
図６は、上記したデジタルテレビジョン放送受信装置１１１の主要な信号処理系を示している。
すなわち、ＢＳ／ＣＳデジタル放送受信用のアンテナ２４３で受信した衛星デジタルテレビジョン放送信号は、入力端子２４４を介して衛星デジタル放送用のチューナ２４５ａに供給される。
【００２２】
チューナ２４５ａは、制御部２６１からの制御信号により所望のチャンネルの放送信号を選局し、この選局された放送信号をＰＳＫ（Phase Shift Keying）復調器２４５ｂに出力する。
【００２３】
ＰＳＫ復調器２４５ｂは、制御部２６１からの制御信号により、チューナ２４５ａで選局された放送信号を復調し、所望の番組を含んだトランスポートストリームを得て、ＴＳ復号器２４５ｃに出力する。
【００２４】
ＴＳ復号器２４５ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファ２４７ｆへ出力する。
【００２５】
また、ＴＳ復号器２４５ｃは、デジタル放送により送られているセクション情報を信号処理部２４７内のセクション処理部２４７ｈへ出力する。
また、地上波放送受信用のアンテナ２４８で受信した地上デジタルテレビジョン放送信号は、入力端子２４９を介して地上デジタル放送用のチューナ２５０ａに供給される。
【００２６】
チューナ２５０ａは、制御部２６１からの制御信号により所望のチャンネルの放送信号を選局し、この選局された放送信号をＯＦＤＭ（Orthogonal Frequency Division Multiplexing）復調器２５０ｂに出力する。
【００２７】
ＯＦＤＭ復調器２５０ｂは、制御部２６１からの制御信号により、チューナ２５０ａで選局された放送信号を復調し、所望の番組を含んだトランスポートストリームを得て、ＴＳ復号器２５０ｃに出力する。
【００２８】
ＴＳ復号器２５０ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファ２４７ｆへ出力する。
【００２９】
また、ＴＳ復号器２５０ｃは、デジタル放送により送られているセクション情報を信号処理部２４７内のセクション処理部２４７ｈへ出力する。
ここで、上記信号処理部２４７は、テレビ視聴時には、ＴＳ復号器２４５ｃおよびＴＳ復号器２５０ｃからそれぞれ供給されたデジタルの映像信号及び音声信号に対して、選択的に所定のデジタル信号処理を施し、グラフィック処理部２５４及び音声処理部２５５に出力している。また、信号処理部２４７は、コンテンツ再生時には、制御部２６１から入力されたコンテンツの再生信号を選択し、所定のデジタル信号処理を施し、グラフィック処理部２５４及び音声処理部２５５に出力している。
【００３０】
制御部２６１には、信号処理部２４７から、番組を取得するための各種データや電子番組ガイド（ＥＰＧ）情報，番組属性情報（番組ジャンル等），字幕情報等（サービス情報、ＳＩやＰＳＩ）が入力されている。
【００３１】
制御部２６１は、これら入力された情報からＥＰＧ，字幕を表示するため画像生成処理を行い、この生成した画像情報をグラフィック処理部２５４へ出力する。
セクション処理部２４７ｈは、ＴＳ復号器２４５ｃ（２５０ｃ）から入力されたセクション情報の中から、番組を取得するための各種データや電子番組ガイド（ＥＰＧ）情報，番組属性情報（番組ジャンル等），字幕情報等（サービス情報、ＳＩやＰＳＩ）を制御部２６１へ出力する。
【００３２】
グラフィック処理部２５４は、（１）信号処理部２４７内のＡＶデコーダ２４７ｇから供給されるデジタルの映像信号と、（２）ＯＳＤ（On Screen Display）信号生成部２５７で生成されるＯＳＤ信号と、（３）データ放送による画像データと、（４）制御部２６１により生成されたＥＰＧ，字幕信号とを合成して映像処理部２５８へ出力する機能を有する。
【００３３】
また、字幕放送による字幕を表示するとき、グラフィック処理部２５４は、制御部２６１からの制御による字幕情報に基づき、映像信号上に字幕情報を重畳する処理を行う。
【００３４】
グラフィック処理部２５４から出力されたデジタルの映像信号は、映像処理部２５８に供給される。この映像処理部２５８は、入力されたデジタルの映像信号を、前記映像表示器１１４で表示可能なフォーマットのアナログ映像信号に変換した後、映像表示器１１４に出力して映像表示させるとともに、出力端子２５９を介して外部に導出させる。
【００３５】
また、上記音声処理部２５５は、入力されたデジタルの音声信号を、前記スピーカ１１５で再生可能なフォーマットのアナログ音声信号に変換した後、スピーカ１１５に出力して音声再生させるとともに、出力端子２６０を介して外部に導出させる。
【００３６】
ここで、このデジタルテレビジョン放送受信装置１１１は、上記した各種の受信動作を含むその全ての動作を制御部２６１によって統括的に制御されている。この制御部２６１は、ＣＰＵ（Central Processing Unit）等を内蔵しており、前記操作部１１６からの操作情報を受け、または、リモートコントローラ１１７から送出された操作情報を、前記受光部１１８を介して受信し、その操作内容が反映されるように各部をそれぞれ制御している。
【００３７】
この場合、制御部２６１は、主として、そのＣＰＵが実行する制御プログラムを格納したＲＯＭ（Read Only Memory）２６１ａと、該ＣＰＵに作業エリアを提供するＲＡＭ（Random Access Memory）２６１ｂと、各種の設定情報及び制御情報等が格納される不揮発性メモリ２６１ｃとを利用している。
【００３８】
また、この制御部２６１は、カードＩ／Ｆ（Interface）２６５を介して、前記第１のメモリカード１１９が装着可能なカードホルダ２６６に接続されている。これによって、制御部２６１は、カードホルダ２６６に装着された第１のメモリカード１１９と、カードＩ／Ｆ２６５を介して情報伝送することができる。
【００３９】
さらに、上記制御部２６１は、カードＩ／Ｆ２６７を介して、前記第２のメモリカード１２０が装着可能なカードホルダ２６８に接続されている。これにより、制御部２６１は、カードホルダ２６８に装着された第２のメモリカード１２０と、カードＩ／Ｆ２６７を介して情報伝送することができる。
【００４０】
また、上記制御部２６１は、通信Ｉ／Ｆ２６９を介して第１のＬＡＮ端子１２１に接続されている。これにより、制御部２６１は、第１のＬＡＮ端子１２１に接続されたＬＡＮ対応のＨＤＤ１２５と、通信Ｉ／Ｆ２６９を介して情報伝送することができる。この場合、制御部２６１は、ＤＨＣＰ（Dynamic Host Configuration Protocol）サーバ機能を有し、第１のＬＡＮ端子１２１に接続されたＬＡＮ対応のＨＤＤ１２５にＩＰ（Internet Protocol）アドレスを割り当てて制御している。
【００４１】
さらに、上記制御部２６１は、通信Ｉ／Ｆ２７０を介して第２のＬＡＮ端子１２２に接続されている。これにより、制御部２６１は、第２のＬＡＮ端子１２２に接続された各機器（図５参照）と、通信Ｉ／Ｆ２７０を介して情報伝送することができる。
【００４２】
また、上記制御部２６１は、ＵＳＢ  Ｉ／Ｆ２７１を介して前記ＵＳＢ端子１２３に接続されている。これにより、制御部２６１は、ＵＳＢ端子１２３に接続された各機器（図５参照）と、ＵＳＢ  Ｉ／Ｆ２７１を介して情報伝送することができる。
【００４３】
さらに、上記制御部２６１は、ｉ．ＬＩＮＫ  Ｉ／Ｆ２７２を介してｉ．ＬＩＮＫ端子１２４に接続されている。これにより、制御部２６１は、ｉ．ＬＩＮＫ端子１２４に接続された各機器（図５参照）と、ｉ．ＬＩＮＫ  Ｉ／Ｆ２７２を介して情報伝送することができる。
【００４４】
ところで、この実施形態ではＨＤＤ１２５に、初期登録時のＨＤＤ１２５、ＨＤＤ１２７、コンテンツサーバ１２８、ＤＶＤレコーダ１２９それぞれに割り当てられたストレージＩＤ（ＩＰアドレス、機器名を含む）を記述した登録ファイルを記憶保持している。
【００４５】
また、不揮発性メモリ２６１ｃに、ＨＤＤ１２５、ＨＤＤ１２７、コンテンツサーバ１２８、ＤＶＤレコーダ１２９それぞれのストレージＩＤを記憶している。
また、制御部２６１は、この発明に係わる機能として、ＵＰｎＰを利用した（１）サーバ機器発見機能２６１ｄと、（２）ＵＰｎＰを利用したコンテンツ情報取得機能２６１ｅと、（３）コンテンツアクセス制御機能２６１ｆとを備えている。
【００４６】
（１）制御部２６１は、サーバ機器発見機能２６１ｄにより、ＵＰｎＰのディスカバリ機能を用いてネットワーク上のＵＰｎＰ対応機器を発見する。例えばサーバ機器発見機能２６１ｄは、ＵＰｎＰのディスカバリ機能を用いてコンテンツサーバ１２８を発見する。
【００４７】
（２）制御部２６１は、コンテンツ情報取得機能２６１ｅにより、ＵＰｎＰのコントロール機能を用いてＵＰｎＰ対応機器をコントロールし、ＵＰｎＰ対応機器内のコンテンツをアクセスするために必要なＵＲＩ情報を取得する。例えばコンテンツ情報取得機能２６１ｅは、コンテンツサーバ１２８をコントロールし、コンテンツサーバ１２８内のＨＤＤ等に蓄積されているコンテンツをアクセスするために必要なＵＲＩ情報をコンテンツサーバ１２８から取得する。
【００４８】
（３）制御部２６１は、コンテンツアクセス制御機能２６１ｆにより、サーバ機器発見機能２６１ｄにより取得したサーバ機器のＩＰアドレス情報と、コンテンツ情報取得機能２６１ｅにより取得したＵＲＩ情報から得たＩＰアドレス情報と、デジタルテレビジョン放送受信装置１１１のＬＡＮ端子１２２に割り当てられたＩＰアドレスとネットマスクに基づいてコンテンツへのアクセス可否判定を行う。そして制御部２６１は、アクセス可と判断した場合にはコンテンツアクセスを許可するが、否と判断した場合には許可できない旨を映像表示器１１４にＯＳＤにより表示させる。
【００４９】
さてユーザはデジタルテレビジョン放送受信装置１１１の任意の画面表示中から文字列を選択することが可能である。図１において、画面１０上で文字列１１が選択されると（図１（ａ）を参照）、装置はユーザが過去に録画した番組やネットワーク上の映像データベースから、文字列１１に関連する映像を検索し、関連度の高い映像を、検索結果として一覧表示する（図１（ｂ）を参照）。文字列を選択するための技術については、図２を用いて後で詳細に説明する。ここでユーザが一覧１２の中から見たい映像１３を選択すると、この選択した映像１４を画面内で再生させることが可能である（図１（ｃ）を参照）。
【００５０】
図２は文字列の選択について示した図である。
デジタル放送では、コンテンツの構築のためにARIB（Association of Radio Industries and Businesses：電波産業会）により標準規格として策定された、BML（Broadcast Markup Language）と呼ばれる記述言語が用いられている。BMLはXML（Extensible Markup Language）をもとに策定されたデジタル放送向けコンテンツ記述言語であり、マルチメディアデータの配置位置の指定機能やJava（Ｒ）Scriptの標準規格であるECMAScriptによるスクリプト実行機能、DOM（Document Object Model）によるXMLの操作機能などを備える。なお要素別ＤＯＭインタフェースには次のようなものがあり、このうち以下の説明ではＰ要素、ＤＩＶ要素、ＳＰＡＮ要素が表示されている。なお要素には、表示用の要素と非表示用の要素とがあり、表示用の要素には、さらに領域を指定する要素、テキストを表示するための要素、動画及び静止画を表示するための要素などがある。
【００５１】
（１）Ｐ要素（BML Paragraph Element）
（２）ＤＩＶ要素（BML Dive Element）
（３）ＡＮＣＨＯＲ要素（BML Anchor Element）
（４）ＳＰＡＮ要素（BML Span Element）
（５）ＩＮＰＵＴ要素（BML Input Element）
（６）ＢＯＤＹ要素（BML Body Element）
（７）ＢＥＩＴＥＭ要素（BML Beitem Element）
（８）ＯＢＪＥＣＴ要素（BML Object Element）
さらにECMAScriptから利用可能な関数を備え、録画予約実行などの放送用拡張機能を備えている。
デジタルテレビにはBMLブラウザが搭載されており、このBMLブラウザが放送波を介して配信された放送局が作成したBML文書を解釈することでBML文書中のタグに従ったコンテンツの表示やECMAScriptによるサービスが実行される。
【００５２】
通常ＢＭＬでは、タグと呼ばれる「<」と「>」とで挟まれた予約語を使って、個々の要素でリモートコントローラや受信機本体に設けられた矢印キーが押下されたときに、次にどの要素にフォーカスを移動するかを記述しておくのが一般的である。本装置によってデータ放送を視聴すると、ユーザはリモコン等の外部コントローラを利用することにより、ＢＭＬに含まれる文字列の単語、またはPタグやSPANタグ等のタグで囲われた範囲を単位として文字列を選択することが可能である。
【００５３】
また本装置は、ユーザが文字列を選択すると、選択された文字列だけでなく、周囲に存在する他の文字列にも弱い重みを付与して検索を行い、選択された文字列がどのような意味で用いられているかを判断する。
【００５４】
図２の画面２２は文字列「東京」を選択したときの例で、符号２０は画面２２（画面２４，画面２６）のコンテンツのＢＭＬである。このときＢＭＬ内で「東京」の近辺に存在する「天気予報」「雷雨」等によって、「東京」の気象に関する映像を検索することが可能である。例えば重みの合計を１とするようにするならば、「東京」の重みを０．８とし、「天気予報」と「雷雨」の重みはそれぞれ０．１といった付与を行い検索を行う。より遠くに離れている「傘」にもより小さな重みを付与してもよい。
【００５５】
図３は本装置の機能構成およびその機能を実施するための接続を示した図である。以下、制御部２６１を中心とした制御プログラムによる動作である。
本装置３０（デジタルテレビジョン放送受信装置１１１）は、関連する機能としてＭＰＥＧデコード部３１、ＢＭＬ構文解析部３２、表示パネル３３、映像ソース取得部３４から構成される。また本発明による機能の実施には、装置３０内の映像記録メモリ３５またはネットワーク上の映像データベース３６が１つ以上必要である。
【００５６】
装置３０は、従来のデータ放送受信装置と同様に、ＭＰＥＧデコード部３１は、入力された放送波から番組の映像をデコードして表示パネル３２へ送信すると共に、データ放送として送られてきたＢＭＬをＢＭＬ構文解析部３３へと伝達する。
【００５７】
ＢＭＬ構文解析部３３は、取得したＢＭＬの構文を解析し、データ放送コンテンツをレンダリングして表示パネル３２へ送信する。そして表示パネル３２は、番組映像とデータ放送コンテンツを取得し表示を行う。
【００５８】
ここでユーザが文字列を選択すると、ＢＭＬ構文解析部３３は、選択された文字列とこの選択された文字列の周囲にある文字列とを映像ソース取得部３４に伝達する。映像ソース取得部３４は、ＢＭＬ構文解析部３３から伝達された、選択された文字列とこの選択された文字列の周囲にある文字列とを基に、関連する映像データを、装置３０が内部に持つ映像記録メモリ３５またはネットワーク上の映像データベース３６から検索し取得する。例えば内部に持つ映像記録メモリ３５には放送された番組を記録したビデオのファイルおよびこのビデオファイルに対応付けてＥＰＧ（電子番組ガイド）から取得された番組の紹介・説明文がメタ情報（付加情報、関連情報）として記憶されている。映像ソース取得部３４は、付加情報から、上記選択された文字列とこの選択された文字列の周囲にある文字列に関連する文字列（例えば類義語・同義語等）を探す。ネットワークに対してはTCP/IP等のプロトコルを用いる。例えばHTML文書形式の文書を解析し、文字列と構文や位置等で関連度が高かった付加情報に対応するビデオファイルを取得する。そして取得した映像データは、ＭＰＥＧデコード部３１がデコードを行い、表示パネル３２によって表示される。なお映像信号のファイルとデータベースは別であってもよい。
【００５９】
図４はユーザがデータ放送から関連する映像を検索して再生するプロセスを示した流れ図である。
本装置はまず、ＢＭＬを解析することでユーザが選択可能な文字列を絞り込み、即ち表示可能な文字列全てを対象とし（ステップＳ４０）、これらの文字列を基に解析されているこれらの文字列相互の配置関係に従ってコンテンツを表示する（ステップＳ４１）。そしてユーザがコンテンツ上で文字列を選択すると（ステップＳ４２）、関連する映像を映像データベースから検索する（ステップＳ４３）。ここで、検索した映像が存在し、さらにその映像が２つ以上存在する場合は、それらを一覧表示する（ステップＳ４４）。ここでユーザが一覧表示された映像の中から見たい映像を選択すると（ステップＳ４５）、この選択した映像を再生する（ステップＳ４６）。また検索した映像が１つだけのときは、一覧表示を行わずに検索された映像を直接再生する（ステップＳ４６）。
【００６０】
以上本実施形態は、コンテンツ中の任意の文字列について、「検索」という手段により、さらなる情報を「映像」で呼び出すことができ、エンターテインメント性も向上する。概要としては次の２点となる。
【００６１】
（１）  データ放送コンテンツの文字列から、その内容に関連する映像をデータベースから検索し、画面上で再生できる装置。
（２）  （１）を実現するために、BMLのタグで囲われた範囲を単位としてユーザが選択できる文字列とする方法。
換言すると本実施形態は、データ放送中の文字列から、その内容に関連する映像を、映像データベースから検索し、画面上で再生できる装置であり、次の利点がある。
【００６２】
・データ放送のニュースの項目で使用すれば、そのニュースの詳細を映像で把握することができる。
・また複数局の報道を比較することができ、より客観的な事実を知ることができる。
・文字による情報が多いデータ放送中で映像を再生できるようになり、さらに多くの情報を得ることができるようになり、またエンターテインメント性が向上する。
・ＢＭＬのタグで囲まれた範囲を選択できる文字列の単位とすることで、キーとなる言葉や文章を選択するのに適した範囲を自動で提示することが可能になる。
なお、この発明は上記実施形態に限定されるものではなく、この外その要旨を逸脱しない範囲で種々変形して実施することができる。
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００６３】
【図１】この発明の一実施形態を示す機能概要図。
【図２】同実施形態の文字列の選択を説明するための図。
【図３】同実施形態の構成およびその機能を実施するための接続図。
【図４】同実施形態のデータ放送から関連する映像を検索して再生するプロセスフロー。
【図５】本発明を適用したデジタルテレビジョン放送受信装置１１１の外観と、このデジタルテレビジョン放送受信装置１１１を中心として構成されるネットワークシステムを説明するための図。
【図６】デジタルテレビジョン放送受信装置１１１の主要な信号処理系を示す図。
【符号の説明】
【００６４】
３０…データ放送受信装置、３１…ＭＰＥＧデコード部、３２…ＢＭＬ構文解析部、３３…表示パネル、３４…映像ソース取得部、３５…映像記録メモリ、１１１…デジタルテレビジョン放送受信装置、１１２…キャビネット、１１３…支持台、１１４…映像表示器、１１５…スピーカ、１１６…操作部、１１７…リモートコントローラ、１１８…受光部、１１９…第１のメモリカード、１２０…第２のメモリカード、１２１…第１のＬＡＮ端子、１２２…第２のＬＡＮ端子、１２３…ＵＳＢ端子、１２４…ｉ．ＬＩＮＫ端子、１２５，１２７，１３９…ＨＤＤ、１２６，１３５…ハブ、１２８，１３３…コンテンツサーバ、１２９…ＤＶＤレコーダ、１３０…アナログ伝送路、１３１…ブロードバンドルータ、１３２…ネットワーク、１３４，１３６…携帯電話、１３７…デジタルカメラ、１３８…カードリーダ／ライタ、１４０…キーボード、１４１…ＡＶ−ＨＤＤ、１４２…Ｄ−ＶＨＳ。
【図１】
2010074764.tif 000003
【図２】
2010074764.tif 000004
【図３】
2010074764.tif 000005
【図４】
2010074764.tif 000006
【図５】
2010074764.tif 000007
【図６】
2010074764.tif 000008